(57)【特許請求の範囲】
【請求項１】
環状の枠内に複数の羽根板が間隔をあけて配置されたルーバーを備えた既設のガラリに対し、通気性の有るシート状のフィルターをルーバーの前面側に取り付けるためのフィルター取付具であって、ルーバーの前面側に取付可能に構成された取付ベースと、取付ベース上に配置されたシート状のフィルターを押さえるように取付ベースに取付可能に構成されたフィルター押体とを備え、取付ベースは、互いに間隔をあけて配置され、ルーバーの前面側から挿入して前記羽根板の内面に係止可能な少なくとも一対の係止部と、互いに間隔をあけて配置された少なくとも一対の押体係止部とを備え、フィルター押体は、押体係止部と対応するように配置されて前記押体係止部に係止可能な少なくとも一対の被係止部を備え、取付ベースの一対の係止部のそれぞれは、線材で構成され、互いに異なる位置にある羽根板の内面に係止可能に構成されていることを特徴とするガラリ用のフィルター取付具。
【発明の詳細な説明】
【技術分野】
【０００１】
本発明は、建物の壁に取り付けられた既設のガラリに対してフィルターを取り付けるためのフィルター取付具に関する。
【背景技術】
【０００２】
従来から、建物内の換気を行うべく、建物の壁に対して内外に貫通した換気穴が形成される場合があり、このような場合、一般的に換気穴を覆うように壁の外面側（屋外側）にガラリが取り付けられる。かかるガラリは、建物の壁の外面に沿って配置される環状のフランジと、該フランジ内に設けられたルーバーとを備えている。該ルーバーは、環状の枠内に複数の羽根板が一方向に間隔をあけて並列に配置され、又は、格子状に配置されており、複数の羽根板で換気穴を目隠ししつつ羽根板間に形成される空間（隙間）で空気の流通を確保できるようになっている。
【０００３】
しかしながら、上記構成のガラリは、害虫や埃が室内に進入してしまうといった指摘がある。すなわち、上記構成のガラリは、複数の羽根板で換気穴を覆い隠すことができるものの、複数の羽根板の間隔が害虫や埃の通過を許容してしまう広い間隔に設定されているため、害虫や埃等が外部から室内に進入してくるといった指摘がある。
【０００４】
このような指摘を受け、近年において、通気性を確保しつつ害虫や埃の通過を阻止できる不織布等から構成されるフィルターを既設のガラリに対して取り付けるためのフィルター取付具が提供されている。
【０００５】
かかるフィルター取付具は、建物の壁面（外面）とガラリのフランジとの間に介挿入可能に形成されたベースプレートと、空気流通用の穴が形成されるとともに、該穴に対向するようにフィルターが取り付けられるカバーとを備え、カバーをベースプレートに取り付けることで、フィルターがガラリのルーバーを覆った状態になるように構成されている（例えば、特許文献１参照）。
【０００６】
このように、上記構成のフィルター取付具は、フィルターがルーバーを覆った状態で取り付けることができるため、既設のガラリ（ルーバー）を介して害虫や埃が室内に進入するのを阻止できるようになっている。
【先行技術文献】
【特許文献】
【０００７】
【特許文献１】特開２００５−８３７１０号公報
【発明の概要】
【発明が解決しようとする課題】
【０００８】
ところで、建物の壁に取り付けられた既設のガラリは、フランジを壁面に密接させた状態で強固に固定されていることが多く、上記構成のフィルター取付具では、既設のガラリに対して取り付けることができない場合がある。すなわち、ガラリがフランジを壁面に密接させた状態で強固に固定されていると、フランジと壁面との間にベースプレートを介挿入する隙間を形成することができないため、上記構成のフィルター取付具は、ガラリに対して取り付けることができず、結果としてフィルターも取り付けることができないといった問題がある。
【０００９】
そこで、本発明は、斯かる実情に鑑み、既設のガラリが建物に強固に取り付けられていても、簡単に取り付けることができる上に、フィルターの交換を容易且つ迅速に行うことのできるガラリ用のフィルター取付具を提供することを課題とする。
【課題を解決するための手段】
【００１０】
本発明に係るガラリ用のフィルター取付具は、環状の枠内に複数の羽根板が間隔をあけて配置されたルーバーを備えた既設のガラリに対し、通気性の有るシート状のフィルターをルーバーの前面側に取り付けるためのフィルター取付具であって、ルーバーの前面側に取付可能に構成された取付ベースと、取付ベース上に配置されたシート状のフィルターを押さえるように取付ベースに取付可能に構成されたフィルター押体とを備え、取付ベースは、互いに間隔をあけて配置され、ルーバーの前面側から挿入して前記羽根板の内面に係止可能な少なくとも一対の係止部と、互いに間隔をあけて配置された少なくとも一対の押体係止部とを備え、フィルター押体は、押体係止部と対応するように配置されて前記押体係止部に係止可能な少なくとも一対の被係止部を備え、取付ベースの一対の係止部のそれぞれは、線材で構成され、互いに異なる位置にある羽根板の内面に係止可能に構成されていることを特徴とする。
【００１１】
上記構成のフィルター取付具によれば、取付ベースの係止部をルーバーの前面側から挿入して羽根板の内面に係止させることで、取付ベースをガラリに対して固定することができる。すなわち、ガラリのルーバーは、複数の羽根板間に開口が形成されているので、取付ベースをルーバーの前面側に配置した上で、羽根板間に形成される開口から各係止部を挿入して羽根板の内面に係止させることで、取付ベースをガラリに固定することができる。そして、取付ベース上にシート状のフィルターを配置し、そのフィルター上にフィルター押体を配置した上で、該フィルター押体の被係止部のそれぞれを取付ベースの押体係止部のそれぞれに係止させることで、フィルター押体がフィルターを押さえた状態で取付ベースに固定される。従って、上記構成のフィルター取付具は、既設のガラリが建物に対して隙間無く強固に取り付けられていても、簡単に取り付けることができる上に、フィルター押体を着脱することでフィルターの交換も容易に行うことができる。
【発明の効果】
【００１２】
以上のように、本発明のガラリ用のフィルター取付具によれば、既設のガラリが建物に強固に取り付けられていても、簡単に取り付けることができる上に、フィルターの交換を容易且つ迅速に行うことができるという優れた効果を奏し得る。
【図面の簡単な説明】
【００１３】
【図１】本発明の一実施形態に係るガラリ用のフィルター取付具の分解斜視図であって、該フィルター取付具の取付対象となるガラリを含んだフィルター取付具の分解斜視図を示す。
【図２】同実施形態に係るガラリ用のフィルター取付具の取付ベースの説明図であって、（ａ）は、取付ベースの正面図を示し、（ｂ）は、（ａ）のＩ−Ｉ断面図を示す。
【図３】同実施形態に係るガラリ用のフィルター取付具の取付手順を説明するための説明図であって、既設のガラリに取付ベースを取り付けた状態の斜視図を示す。
【図４】同実施形態に係るガラリ用のフィルター取付具の取付手順を説明するための説明図であって、既設のガラリに取り付けた取付ベースにフィルターを重ねた状態の斜視図を示す。
【図５】同実施形態に係るガラリ用のフィルター取付具の取付手順を説明するための説明図であって、既設のガラリに取り付けた取付ベースに対して重ねたフィルターをフィルター押体で押さえた状態の斜視図を示す。
【図６】本発明の他実施形態に係るガラリ用のフィルター取付具における取付ベースの正面図であって、（ａ）は、線材を正面視矩形状に曲げ加工することで、一対の押体係止部が形成された取付ベース（上記実施形態の環状体を省略した取付ベース）の正面図を示し、（ｂ）は、一対の押体係止部同士を連結する一対の連結部が押体係止部よりも幅狭に形成された取付ベースの正面図を示し、（ｃ）は、一対の押体係止部同士を連結する連結部が一本の線材で連結された取付ベースの正面図を示す。
【図７】本発明の別の実施形態に係るガラリ用のフィルター取付具におけるフィルター押体の正面図であって、（ａ）は、一対の係止部が一本の線材の両端部で構成されたフィルター押体の正面図を示し、（ｂ）は、一対の係止部のそれぞれが三つ又状に形成されたフィルター押体の正面図を示す。
【図８】本発明のさらに別の実施形態に係るガラリ用のフィルター取付具における係止部の断面図であって、（ａ）は、連結部の傾斜部の先端に立上部が連接された係止部の断面図を示し、（ｂ）は、連結部全体が直線状に形成され、その連結部の先端部に立上部が連接された押体係止部の断面図を示し、（ｃ）は、立上部の先端に内側に折り返された折り返し部が形成された係止部の断面図を示し、（ｄ）は、立上部の先端に内側に折り返された折り返し部が形成された（ｃ）と異なる態様の係止部の断面図を示す。
【発明を実施するための形態】
【００１４】
以下、本発明の一実施形態に係るガラリ用のフィルター取付具（以下、単にフィルター取付具という）について、添付図面を参照しつつ説明する。
【００１５】
フィルター取付具の説明に先立ち、該フィルター取付具を用いてフィルターを取り付けるガラリについて概略説明すると、かかるガラリは、図１に示す如く、内外を連通させるように建物の壁を貫通させた換気穴（図示しない）に嵌入される筒状の取付嵌入部５０と、該取付嵌入部５０の径方向外方に延出するように該取付嵌入部５０の一端部に連設された鍔状のフランジ５１と、フランジ５１内に設けられた通気可能なルーバー５２とを備えている。
【００１６】
前記取付嵌入部５０は、換気穴の形状に応じて角筒状又は円筒状に形成される。本実施形態において、前記取付嵌入部５０は、円筒状に形成されており、外周面には、換気穴の内周面に圧接可能な抜止部材５００…が周方向に間隔をあけて複数取り付けられている。
【００１７】
前記ルーバー５２は、金属プレートをプレス加工（打ち抜き加工）することで形成されており、環状の枠５２０と、該枠５２０内に配置された複数の羽根板５２１…とを備えている。複数の羽根板５２１…は、一方向に間隔をあけて配置されたり、格子状に配置されたりするのが一般的であり、図１に示すルーバー５２においては、複数の羽根板５２１…のそれぞれが一方向（建物の壁に固定された状態で水平方向になる方向）に延びるように形成されている。そして、ルーバー５２は、円環状のフランジ５１が画定する開口を閉塞するように設けられている。そして、図１に示すルーバー５２は、フランジ５１の外面から膨出するように形成されている。すなわち、ルーバー５２は、枠５２０の外周から延出した環状部５２２を備え、該環状部５２２の先端がフランジ５１の内周に接続されている。
【００１８】
これにより、上記構成のガラリ５は、フランジ５１が壁の外面に対向するように取付嵌入部５０を換気穴に嵌入することで建物の壁に固定され、ルーバー５２の羽根板５２１…で換気穴を目隠しできるようになっている。
【００１９】
フィルター取付具１は、上述のようなルーバー５２を備えたガラリ５に対して通気性のあるシート状のフィルター（例えば、不織布）を取り付けるためのものである。本実施形態に係るフィルター取付具１は、ルーバー５２の前面側に取付可能に構成された取付ベース１０と、取付ベース１０上に配置されたシート状のフィルターＦを押さえるように取付ベース１０に取付可能に構成されたフィルター押体２０とを備えている。
【００２０】
取付ベース１０は、図１及び図２（ａ）に示す如く、ルーバー５２の前面側から挿入して前記枠５２０又は羽根板５２１の内面に係止可能に構成された少なくとも一対の係止部１００，１００と、間隔をあけて配置された少なくとも一対の押体係止部１０１，１０１とを備えている。また、本実施形態に係る取付ベース１０は、ルーバー５２の枠５２０の内径よりも大径に設定された環状体１０２を備えている。
【００２１】
より具体的に説明すると、取付ベース１０は、一対の係止部１００，１００と、両係止部１００，１００同士を連結する連結手段１０３とを備えている。また、取付ベース１０は、一対の押体係止部１０１，１０１を所定の間隔をあけた状態に固定（連結）する連結部１０４を備えている。
【００２２】
一対の係止部１００，１００は、互いに間隔をあけて配置されて相反する方向に延びるように形成されている。すなわち、一対の係止部１００のそれぞれは、一方向に延びる線材（例えば、金属製の線材）で構成されている。また、前記一対の係止部１００，１００は、互いに接離可能に構成されている。
【００２３】
本実施形態に係る取付ベース１０は、一対の係止部１００，１００が二組設けられている。すなわち、本実施形態に係る取付ベース１０は、二対の係止部１００，１００，１００，１００が設けられている。
【００２４】
二組の係止部１００，１００，１００，１００は、一方の係止部１００，１００同士が互いに平行となるように配置され、他方の係止部１００，１００同士も互いに平行になるように配置されている。本実施形態において、線材をコの字に曲げ加工したコの字部材１１０の両端部（互いに対向する棒状部分１１０ａ，１１０ａ）が各組における一方、又は他方の係止部１００，１００を構成しており、そのコの字部材１１０を二つ対称に配置することで二対の係止部１００，１００，１００，１００が配置されている。
【００２５】
本実施形態に係る連結手段１０３は、前記環状体１０２と、環状体１０２の径方向に延びて両端が環状体１０２上の対向位置に連結された線材１０３ａとで構成されている。線材１０３ａは、軸線と交差する方向に可撓性を有している。そして、本実施形態に係る取付ベース１０は、前記線材１０３ａが軸線と直交する方向に間隔をあけて二本設けられている。本実施形態において、前記線材１０３ａは、一対の押体係止部１０１、１０１、及び連結部１０４を一体的に構成する後述する枠部材１２０の一部が流用されている。すなわち、本実施形態に係る取付ベース１０は、係止部１００，１００が接続される連結手段１０３の一構成（線材１０３ａ）に枠部材１２０が兼用されている。
【００２６】
そして、一対の係止部１００，１００のそれぞれは、連結手段１０３の一構成である線材１０３ａに連結されている。本実施形態において、上述の如く、コの字部材１１０を二つ対称に配置するようにしているため、各コの字部材１１０，１１０は、係止部１００（棒状部分１１０ａ，１１０ａ）が連結手段１０３を構成する線材１０３ａと直交するように配置され、該係止部１００の基端側が線材１０３ａ（枠部材１２０）に接続されている。
【００２７】
すなわち、各コの字部材１１０における係止部１００（互いに対向する棒状部分１１０ａ，１１０ａ）の基端同士を接続する接続部１１０ｂが連結手段１０３の線材１０３ａに対して間隔をあけて略平行をなした状態となるように、一方のコの字部材１１０が一方の線材１０３ａに連結され、他方のコの字部材１１０が他方の線材１０３ａに連結されている。これにより、各コの字部材１１０，１１０の接続部１１０ｂを互いに接近させるように把持することで、線材１０３ａが撓んで各組の一方の係止部１００と他方の係止部１００とが互いに接近する（各組における一対の係止部１００，１００の間隔が狭まり）、把持を解除することで線材１０３ａの弾性で一対の係止部１００，１００の位置（間隔）が復帰するようになっている。
【００２８】
本実施形態に係る取付ベース１０は、一本の線材（例えば、金属製の線材）を正面視矩形状に曲げ加工することで一対の押体係止部１０１，１０１及び連結部１０４が一体的に形成されている。すなわち、取付ベース１０は、一本の線材を曲げ加工して該線材の両端同士を接続して正面視長方形状の枠部材１２０が形成されており、その枠部材１２０の長手方向の両端部（短辺部分）が一対の押体係止部１０１，１０１として形成され、その枠部材１２０の短手方向の両端部（長辺部分）が一対の連結部１０４，１０４として形成されている。
【００２９】
一対の連結部１０４，１０４のそれぞれは、図２（ｂ）に示す如く、直線部１０４ａと、その直線部１０４ａに対して傾斜するように直線部１０４ａの端から延出した傾斜部１０４ｂとを備え、該傾斜部１０４ｂの先端に押体係止部１０１，１０１の両端が直接的又は間接的に接続されている。これにより、直線部１０４ａの両側にある一対の傾斜部１０４ｂ，１０４ｂは、先端に向かうほど互いの間隔が広がるように形成されている。本実施形態において、各連結部１０４，１０４は、傾斜部１０４ｂの先端から直線部１０４ａと略同方向に延びる延在部１０４ｃを備え、その延在部１０４ｃの先端に押体係止部１０１，１０１の端部が接続されている。
【００３０】
そして、本実施形態において、一対の押体係止部１０１，１０１は、連結部１０４，１０４（直線部１０４ａ）の延びる方向と直交する方向に延びる立上部１０１ａと、該立上部１０１ａ及び連結部１０４（直線部１０４ａ）の延びる方向と直交する方向に延びる係止棒状部１０１ｂとを備えている。立上部１０１ａは、一端が連結部１０４（本実施形態においては延在部１０４ｃ）の端部に接続されており、係止棒状部１０１ｂの両端が各立上部１０１ａの他端に接続されている。
【００３１】
そして、本実施形態に係る取付ベース１０は、図１及び図２（ａ）に示す如く、一対の押体係止部１０１，１０１が環状体１０２上の互いに対向する位置に固定されている。本実施形態に係る取付ベース１０は、上述の如く、押体係止部１０１と連結部１０４とが枠部材１２０として一体的に形成されるとともに、環状体１０２を備えているため、枠部材１２０（押体係止部１０１の延在部１０４ｃ）が環状体１０２に対して接続されることで、一対の押体係止部１０１，１０１が互いに対向する位置で環状体１０２に固定されている。また、上述の如く、一対の係止部１００，１００（コの字部材１１０）が連結手段１０３（線材１０３ａ（連結部１０４））に接続されているため、一対の係止部１００，１００が環状体１０２内に配置されて互いに接離可能に構成されている。
【００３２】
図１に戻り、フィルター押体２０は、互いに間隔をあけて配置され、押体係止部１０１，１０１に係止可能な少なくとも一対の被係止部２００，２００を備えている。本実施形態に係るフィルター押体２０は、弾性変形可能な線材を環状にした押体本体２０１を備えている。そして、前記一対の被係止部２００，２００は、環状をなす押体本体２０１の対向位置にある二箇所で構成されている。そして、本実施形態に係るフィルター押体２０は、一対の把持部２０２，２０２を備え、一対の把持部２０２，２０２同士を接近させるように把持することで径方向に変形させ、二箇所（一対）の被係止部２００，２００同士を接近させるようになっている。前記把持部２０２，２０２は、線材をコの字状に曲げ加工した二つの加工部材を押体本体２０１に包囲される領域内で対称となるように配置し、各加工部材の両端が押体本体２０１に接続されることで形成されている。これに伴い、本実施形態に係るフィルター押体２０は、押体本体２０１における各加工部材の両端間が被係止部２００，２００に設定されている。
【００３３】
そして、該フィルター取付具１に採用されるフィルターＦは、通気性があればよく、一般的には不織布等で構成される。そして、フィルターＦは、ルーバー５２の前面を覆えるようにサイズや形状が設定される。本実施形態においては、取付ベース１０が環状体１０２を備え、フィルター押体２０が押体本体２０１を備えているため、フィルターＦは、取付ベース１０の環状体１０２とフィルター押体２０の押体本体２０１とで外周縁部が挟みこまれるサイズ及び形状に設定される。本実施形態において、環状体１０２及び押体本体２０１は、円環状に形成されているため、フィルターＦは環状体１０２及び押体本体２０１の外径よりも大きな外径に設定された円板状に形成されている。そして、上述の如く、各押体係止部１０１、１０１に立上部１０１ａが形成されているため、フィルターＦには、立上部１０１ａと対応する位置に、立上部１０１ａを躱すための切り込みＣが設けられている。
【００３４】
本実施形態に係るフィルター取付具１は、以上の構成からなり、次に、既設のガラリ５に対する取り付け方について説明する。
【００３５】
まず、図３に示す如く、ガラリ５（ルーバー５２）に対して取付ベース１０を取り付ける。この際、連結手段１０３の二本の線材１０３ａの中央部同士を互いに接近させるように、該線材１０３ａ又はコの字部材１１０の接続部１１０ｂを把持し、両線材１０３ａ、１０３ａを撓ませて一対の係止部１００，１００の間隔を狭め、各係止部１００，１００がルーバー５２の羽根板５２１…又は枠５２０と干渉するのを防止した状態にする。この状態で、各係止部１００，１００をルーバー５２の前面側から内面側に向けて挿入する。
【００３６】
そして、各係止部１００，１００がルーバー５２に内面側に到達した状態で二本の線材１０３ａ，１０３ａに対する把持を解除すると、各線材１０３ａ、１０３ａが自己の弾性で真っ直ぐな状態に復元し、これに伴って一対の係止部１００，１００の間隔が広がって常態の位置に復帰する。そうすると、一対の係止部１００は、ルーバー５２の内面に係止された状態になる。本実施形態に係る取付ベース１０は、常態で一対の係止部１００，１００の間隔（係止部１００，１００の先端間の間隔）がルーバー５２の枠５２０の内径よりも広い間隔になるように設定されており、上述の如く、一対の係止部１００，１００は常態位置に復帰することで、枠５２０の内面（枠５２０上にある対向位置の内面）に係止された状態になる。
【００３７】
そうすると、取付ベース１０の主たる構成（環状体１０２、連結手段１０３，連結部１０４、押体係止部１０１）がルーバー５２の前面に位置するのに対し、その主たる構成に連続する一対の係止部１００は、羽根板５２１間の開口を介してルーバー５２の内面側で係止されるため、係止部１００と他の構成とでルーバー５２を挟み込んだ状態になる結果、取付ベース１０がルーバー５２に対して固定されることになる。
【００３８】
そして、図４に示す如く、ルーバー５２の前面（ルーバー５２に取り付けた取付ベース１０）に対してフィルターＦを重ね合わせる。このとき、立上部１０１ａをフィルターＦの切り込みＣに嵌め込み、フィルターＦの前面に押体係止部１０１（立上部１０１ａの先端側と係止棒状部１０１ｂ）のみが露呈した状態にする。
【００３９】
しかる後、図５に示す如く、フィルター押体２０を取付ベース１０に取り付ける。このとき、一対の把持部２０２，２０２を互いに接近させるように把持し、フィルター押体２０の押体本体２０１を径方向に弾性変形させ、一対の被係止部２００，２００の間隔を一対の押体係止部１０１，１０１（係止棒状部１０１ｂ）の間隔よりも狭くする。そして、一対の被係止部２００，２００の間隔を狭めた状態でフィルター押体２０をフィルターＦに重ね合わせた上で、把持部２０２，２０２に対する把持を解除すると、押体本体２０１が自己の弾性で円形環状に復元し、一対の被係止部２００，２００の間隔が広がって常態の位置に復帰する。これに伴い、一対の被係止部２００，２００のそれぞれは、押体係止部１０１，１０１（係止棒状部１０１ｂ）の下方に入り込んだ状態、すなわち、押体係止部１０１，１０１に係止された状態になる。そうすると、フィルターＦは、取付ベース１０とフィルター押体２０とに挟まれた状態になり、フィルターＦ（厚み）が取付ベース１０とフィルター押体２０とを離間させるような力を作用させる。これにより、フィルターＦが取付ベース１０とフィルター押体２０とによって強固に取り付けられることになる。特に、本実施形態に係るフィルター取付具１は、取付ベース１０に環状体１０２を設けるとともに、フィルター押体２０に環状の押体本体２０１を設けているため、これらによってフィルターＦの外周端部の全周が挟み込まれることになり、フィルターＦの浮き上がりも確実に防止されることになる。
【００４０】
この状態で通気性のあるフィルターＦはルーバー５２の前面を覆った状態になり、害虫や塵などの進入が防止される。そして、フィルターＦが汚れたり破損したりした場合には、取付ベース１０の着脱を行うことなくフィルター押体２０のみを着脱することでフィルターＦの交換を行うことができる。
【００４１】
以上のように、本実施形態に係るフィルター取付具１は、ルーバー５２の前面側に取付可能に構成された取付ベース１０と、取付ベース１０上に配置されたシート状のフィルターＦを押さえるように取付ベース１０に取付可能に構成されたフィルター押体２０とを備え、取付ベース１０は、互いに間隔をあけて配置され、ルーバー５２の前面側から挿入して前記枠５２０の内面に係止可能な一対の係止部１００，１００と、互いに間隔をあけて配置された一対の押体係止部１０１，１０１とを備え、フィルター押体２０は、押体係止部１０１，１０１と対応するように配置されて前記押体係止部１０１，１０１に係止可能な一対の被係止部２００，２００を備えているため、既設のガラリ５が建物に強固に取り付けられていても、簡単に取り付けることができる上に、フィルターＦの交換を容易且つ迅速に行うことができる。
【００４２】
また、前記一対の係止部１００，１００は、互いに相反する方向に延びるように形成され、ルーバー５２の枠５２０の対向位置に係止可能に構成されているため、係止部１００，１００の形態を複雑にすることなくガラリ５（ルーバー５２）に対する取付ベース１０の固定を確実にすることができる。
【００４３】
特に、前記一対の係止部１００，１００は、互いに接離可能に構成されているため、一対の係止部１００，１００を羽根板５２１…間に挿入する際に、各係止部１００，１００が枠５２０に干渉するのを防止することができ、取付ベース１０をルーバー５２に対して容易に取り付けることができる。
【００４４】
前記取付ベース１０は、ルーバー５２の枠５２０の内径よりも大径に設定された環状体１０２を備え、一対の押体係止部１０１，１０１が環状体１０２上の互いに対向する位置で固定されるとともに、一対の係止部１００，１００が環状体１０２内に配置され、前記フィルター押体２０は、弾性変形可能な線材を環状にした押体本体２０１を備え、前記一対の被係止部２００，２００は、環状をなす押体本体２０１の対向位置にある二箇所で構成されているため、ルーバー５２の羽根板５２１…の存在する領域（通気可能な領域）周りで環状体１０２と押体本体２０１とでフィルターＦを挟み込むことができる。従って、ルーバー５２で空気の流通があってもフィルターＦが浮き上がるのを確実に防止することができる。また、押体本体２０１の対向位置にある二箇所で被係止部２００，２００を構成するため、フィルター押体２０を簡単な構成にすることができる。
【００４５】
取付ベース１０は、環状体１０２の径方向に軸線が延びて両端が環状体１０２上の対向位置に連結された線材１０３ａを備え、該線材１０３ａは、軸線と交差する方向に可撓性を有し、前記一対の係止部１００，１００のそれぞれは、前記線材１０３ａに連結されているため、線材１０３ａを撓ませることで係止部１００，１００を移動させることができ、係止部１００，１００を枠５２０又は羽根板５２１と干渉させることなくルーバー５２の羽根板５２１，５２１間に挿入することができる。そして、線材１０３ａの弾性で一対の係止部１００，１００の位置を常態位置に復帰させることができる。
【００４６】
なお、本発明は、上記実施形態に限定されるものではなく、本発明の要旨を逸脱しない範囲で種々の変更を加え得ることは勿論のことである。
【００４７】
上記実施形態において、取付ベース１０に環状体１０２を設けたが、これに限定されるものではなく、例えば、図６（ａ）に示す如く、係止部１００を備えた部材（係止部１００を二組設ける場合にはコの字部材）１１０と枠部材１２０（押体係止部１０１、連結部１０４）とで取付ベース１０を構成してもよい。なお、この場合、枠部材１２０が一対の係止部１００，１００同士を連結する連結手段１０３となる。
【００４８】
また、上記実施形態において、押体係止部１０１，１０１同士を連結する連結部１０４として、全長に亘って等間隔（平行）に配置された二本の線材を設けたが、これに限定されるものではなく、例えば、図６（ｂ）に示す如く、連結手段１０３の一構成である二本の線材１０３ａ，１０３ａ（或いは、二つの連結部１０４）の間隔が中間位置で両端よりも幅狭になるように形成してもよい。
【００４９】
また、上記実施形態において、二つの部材（コの字部材１１０）を対称に配置することで、互いに間隔をあけた状態で一対の係止部１００，１００を配置するようにしたが、これに限定されるものではなく、例えば、図６（ｃ）に示す如く、一本の線材の両端部を一対の係止部１００，１００とするようにしてもよい。なお、この場合、一対の係止部１００，１００同士が連続することになるため、連結手段１０３を設けることなく、例えば、一対の押体係止部１０１，１０１同士を連結する連結部１０４に線材を接続することで、一対の係止部１００，１００の配置を一定位置に固定すればよい。
【００５０】
上記実施形態において、一対の係止部１００，１００を二組設けたがこれに限定されるものではなく、図７（ａ）に示す如く、一対の係止部１００，１００（一組）だけ設けるようにしてもよいし、図７（ｂ）に示す如く、一対の係止部１００，１００を三組以上設けるようにしてもよい。但し、一対の係止部１００，１００を二組以上設け、係止部１００，１００をルーバー５２の枠５２０に係止させる場合、各組の係止部１００，１００はルーバー５２の羽根板５２１の間隔（羽根板５２１，５２１間の開口の間隔）に対応した間隔をあけて並列に配置することが好ましい。また、上記実施形態において、押体係止部１０１，１０１を一対設けたが、これに限定されるものではなく、押体係止部１０１，１０１を複数対（二組以上）設けてもよい。この場合、フィルター押体２０に対して押体係止部１０１，１０１に対応する被係止部２００，２００を設ければよい。
【００５１】
また、上記実施形態において、ルーバー５２の枠５２０に係止部１００を係止させるようにしたが、これに限定されるものではなく、係止部１００を羽根板５２１に係止させるようにしてもよい。但し、一対の係止部１００，１００は所定間隔をあけて配置されることは当然のことである。
【００５２】
上記実施形態において、直線部１０４ａ、傾斜部１０４ｂ、及び延在部１０４ｃを備えた連結部１０４を採用し、延在部１０４ｃの先端に押体係止部１０１の端部を接続するようにしたが、これに限定されるものではなく、例えば、図８（ａ）に示す如く、直線部１０４ａ、及び傾斜部１０４ｂを備えた連結部１０４を採用し、傾斜部１０４ｂの先端に押体係止部１０１の端部（立上部１０１ａの下端）を接続するようにしてもよい。また、図８（ｂ）に示す如く、直線部１０４ａのみで連結部１０４を構成し、直線部１０４ａの端部に押体係止部１０１の端部（立上部１０１ａの下端）を接続するようにしてもよい。
【００５３】
そして、上記実施形態において、立上部１０１ａと係止棒状部１０１ｂとで押体係止部１０１を構成したが、例えば、図８（ｃ）及び図８（ｄ）に示す如く、立上部１０１ａと、立上部１０１ａの上端から反対側（相手側の押体係止部１０１に向けて延びる折り返し部１０１ｃと、両端が折り返し部１０１ｃの先端に連結された係止棒状部１０１ｂとで押体係止部１０１を構成してもよい。このようにすれば、係止棒状部１０１ｂがルーバー５２の内側寄りに変位した状態となるため、被係止部２００，２００を確実に係止することができる。
【００５４】
上記実施形態において、一対の係止部１００，１００を互いに接離可能に設けたが、これに限定されるものではなく、例えば、一対の係止部１００，１００を傾動可能に構成したり撓み可能に構成したりすることで、互いの先端同士の間隔を狭めることができるようにしてもよい。
【００５５】
上記実施形態において、係止部１００，１００を連結する線材１０３ａを二本設けたが、これに限定されるものではなく、例えば、線材１０３ａを一本設け、これに対して一対の係止部１００，１００を連結してもよい（図６（ｃ）参照）。このようにすれば、線材１０３ａを軸線と直交方向の一方側及び他方側に撓ませることで両係止部１００，１００を移動させることができ、ルーバー５２の枠５２０又は羽根板５２１に干渉することなく係止部１００，１００をルーバー５２の内面側に挿入することができる。
【００５６】
上記実施形態において、フィルター押体２０に環状の押体本体２０１を設け、これでフィルターＦを押さえるようにしたが、これに限定されるものではなく、例えば、二本以上の線材を放射状に配置して互いに連結し、そのうちの一本の線材の両端部を一対の被係止部２００，２００としてもよい。
【００５７】
上記実施形態において、フィルター押体２０の押体本体２０１を変形させて一対の被係止部２００，２００の間隔を狭めることで、取付ベース１０の押体係止部１０１を躱した状態にした上で、被係止部２００，２００を押体係止部１０１の下側に入れ込むようにしたが、これに限定されるものではなく、例えば、一対の押体係止部１０１間に一対の被係止部２００，２００を配置した上で、フィルター押体２０をフィルターＦに沿って（ルーバー５２の中心を回転中心にして）フィルター押体２０を回転させることで、被係止部２００，２００を押体係止部１０１の下側に入れ込むようにしてもよい。
【００５８】
上記実施形態において、取付ベース１０に一対の押体係止部１０１を設けるようにしたが、これに限定されるものではなく、例えば、一対の押体係止部１０１を複数組設けるようにしてもよい。これに伴い、フィルター押体２０には、取付ベース１０の押体係止部１０１に対応した組の被係止部２００，２００を設ければよい。
【符号の説明】
【００５９】
１…フィルター取付具、５…ガラリ、１０…取付ベース、２０…フィルター押体、５０…取付嵌入部、５１…フランジ、５２…ルーバー、１００…係止部、１０１…押体係止部、１０１ａ…立上部、１０１ｂ…係止棒状部、１０１ｃ…折返し部、１０２…環状体、１０３ａ…線材、１０３…連結手段、１０４…連結部、１０４ａ…直線部、１０４ｂ…傾斜部、１０４ｃ…延在部、１１０…コの字部材、１１０ａ…棒状部分、１１０ｂ…接続部、１２０…枠部材、２００…被係止部、２０１…押体本体、２０２…把持部、５００…抜止部材、５２０…枠、５２１…羽根板、５２２…環状部、Ｆ…フィルター
【図１】
0005548804.tif 000002
【図２】
0005548804.tif 000003
【図３】
0005548804.tif 000004
【図４】
0005548804.tif 000005
【図５】
0005548804.tif 000006
【図６】
0005548804.tif 000007
【図７】
0005548804.tif 000008
【図８】
0005548804.tif 000009